(57)【要約】【課題】異なる用紙収納枚数を有する２種類のトレイ用のモータブラケットを１種類にするとともに、モータブラケットのコストの低減を図ることが可能なレーザプリンタ（画像形成装置）を提供する。【解決手段】このレーザプリンタは、モータブラケット１０にねじ止めされたモータ９をギアボックス５ａに固定した際に、フック部１２ａが天板４の取り付け部４ａに係合するように配置されたモータ取り付け穴部１５ａと、モータブラケット１０にねじ止めされたモータ９をギアボックス５ｂに固定した際に、フック部１２ａが天板４の取り付け部４ｂに係合するように、モータ取り付け穴部１５ａに対して略４５度回転して配置されたモータ取り付け穴部１５ｂとを含むモータブラケット１０を備える。【選択図】図６
2004083154.tif 000002
【特許請求の範囲】
【請求項１】
用紙が収納されるトレイと、前記トレイの上方に設けられ、第１取り付け角度を有する第１取り付け部と前記第１取り付け角度に対して略４５度傾斜している第２取り付け角度を有する第２取り付け部とを含む天板と、前記天板に取り付けられたギアボックスと、前記トレイに収納された前記用紙を給紙方向に移動させるための給紙ローラと、前記給紙ローラを回転させるためのモータと、前記モータをねじ止めするためのモータ取り付け穴部を有するとともに、前記ねじ止めされたモータを前記ギアボックスに固定するためのモータブラケットと、前記モータに取り付けられ、前記第１取り付け部および前記第２取り付け部に係合するフック部とを備え、前記トレイは、所定の前記用紙の収納枚数を有する第１トレイ、および、前記第１トレイよりも前記用紙の収納枚数が多い第２トレイのいずれかを含むとともに、前記ギアボックスは、前記第１トレイの上方に位置する前記天板に取り付けられた第１ギアボックス、および、前記第２トレイの上方に位置する前記天板に取り付けられた第２ギアボックスのいずれかを含むレーザプリンタにおいて、
前記モータブラケットは、前記第１トレイ用の前記第１ギアボックスおよび前記第２トレイ用の前記第２ギアボックスに共通して用いられ、
前記モータブラケットのモータ取り付け穴部は、
前記モータブラケットにねじ止めされた前記モータを前記第１ギアボックスに固定した際に、前記フック部が前記天板の第１取り付け部に前記第１取り付け角度で係合するように配置された第１モータ取り付け穴部と、
前記モータブラケットにねじ止めされた前記モータを前記第２ギアボックスに固定した際に、前記フック部が前記天板の第２取り付け部に前記第２取り付け角度で係合するように、前記第１モータ取り付け穴部に対して略４５度回転して配置された第２モータ取り付け穴部とを含むことを特徴とする、レーザプリンタ。
【請求項２】
所定の用紙の収納枚数を有する第１トレイ、および、前記第１トレイよりも前記用紙の収納枚数が多い第２トレイのいずれかと、
前記第１トレイ、および、前記第２トレイの上方に設けられ、第１取り付け角度を有する第１取り付け部と第２取り付け角度を有する第２取り付け部とを含む前記第１トレイおよび前記第２トレイに対して共通して用いられる天板と、
前記天板に取り付けられた前記第１トレイ用の第１ギアボックス、および、前記第２トレイ用の第２ギアボックスのいずれかと、
前記第１トレイおよび前記第２トレイに収納された前記用紙を給紙方向に移動させるための給紙ローラを回転させるためのモータと、
前記モータをねじ止めするための第１モータ取り付け穴部と第２モータ取り付け穴部とを有するとともに、前記ねじ止めされたモータを前記第１ギアボックスおよび前記第２ギアボックスに固定するための１つのモータブラケットと、
前記モータに取り付けられ、前記第１取り付け部および前記第２取り付け部に係合するフック部とを備える、画像形成装置。
【請求項３】
前記モータブラケットの第１モータ取り付け穴部は、前記モータブラケットにねじ止めされた前記モータを前記第１ギアボックスに固定した際に、前記フック部が前記天板の第１取り付け部に前記第１取り付け角度で係合するように配置されており、
前記モータブラケットの第２モータ取り付け穴部は、前記モータブラケットにねじ止めされた前記モータを前記第２ギアボックスに固定した際に、前記フック部が前記天板の第２取り付け部に前記第２取り付け角度で係合するように配置されている、請求項２に記載の画像形成装置。
【請求項４】
前記第２取り付け角度は、前記第１取り付け角度に対して略４５度傾斜しており、
前記モータブラケットの第２モータ取り付け穴部は、前記モータブラケットの第１モータ取り付け穴部に対して略４５度回転して配置されている、請求項３に記載の画像形成装置。
【発明の詳細な説明】
【０００１】
【発明の属する技術分野】
この発明は、レーザプリンタなどの画像形成装置に関し、特に、駆動源としてのモータを取り付けるためのモータブラケットを有するレーザプリンタなどの画像形成装置に関する。
【０００２】
【従来の技術】
従来、駆動源としてのモータを取り付けるためのモータブラケットを有する画像形成装置が知られている。これらは、たとえば、特開昭６０−１１３８１号公報、特開平２−２６６８４７号公報および特開平３−１８２３７５号公報などに開示されている。以下、本願明細書では、画像形成装置の一例として、レーザプリンタを例にとって説明する。
【０００３】
図９は、従来のレーザプリンタを示した斜視図であり、図１０は、図９に示した従来のレーザプリンタの給紙機構を示した斜視図である。図１１は、図９に示した従来のレーザプリンタの天板を示した平面図である。図１２は、図１１に示した従来の天板の１５０−１５０線に沿った断面図であり、図１３は、図１１に示した従来の天板の１６０−１６０線に沿った断面図である。まず、図９〜図１３を参照して、従来のレーザプリンタの構造について説明する。
【０００４】
従来のレーザプリンタでは、図９に示すように、用紙を収納するためのトレイ１０１と、用紙を印字部（図示せず）に搬送するための搬送機構１０２と、トレイ１０１に収納された用紙が搬送機構１０２に到達するように給紙方向（矢印Ａ方向）に移動させるための給紙機構１０３と、種々の部品（図示せず）が装着される天板１０４とを備えている。トレイ１０１は、レーザプリンタ本体に引き出し可能に装着されている。また、搬送機構１０２は、レーザプリンタ本体内の一方側部に設けられている。そして、給紙機構１０３は、トレイ１０１の上方に配置されるように、レーザプリンタ本体内に設けられている。
【０００５】
この給紙機構１０３の構造としては、図１０に示すように、ギアボックス１０５に、アーム１０６が所定の支点を中心として回動可能に取り付けられている。このアーム１０６が回動することによって、アーム１０６の先端部は、トレイ１０１（図９参照）に収納された用紙に接触する方向に回動される。アーム１０６の先端部には、シャフト１０７を介して、２つの給紙ローラ１０８が回転可能に取り付けられている。この２つの給紙ローラ１０８は、トレイ１０１に収納された用紙との間で摩擦力を発生させることによって、用紙を給紙方向（図９中の矢印Ａ方向）に移動させる機能を有する。また、ギアボックス１０５の一方側部には、２つの給紙ローラ１０８を回転させるためのモータ１０９が、モータブラケット１１０を介して取り付けられている。また、モータ１０９には、モータ１０９の回転角度を検知するエンコーダ１１１と、フック部１１２ａを有するエンコーダプレート１１２とが取り付けられている。そして、ギアボックス１０５の内部およびアーム１０６の内部（図示せず）には、モータ１０９の回転駆動を２つの給紙ローラ１０８に伝達するための複数のギア１１３が設けられている。
【０００６】
そして、天板１０４は、図９に示したように、トレイ１０１の上方に設けられているとともに、天板１０４の下面には、給紙機構１０３が取り付けられている。この天板１０４には、図１１に示すように、取り付け部１０４ａと１０４ｂとが設けられている。取り付け部１０４ａは、図１２に示すように、天板１０４の上面に対して水平（平行）に設けられている。そして、取り付け部１０４ｂは、図１３に示すように、天板１０４の上面に対して略４５度傾斜するように設けられている。また、取り付け部１０４ｂは、図１１に示したように、取り付け部１０４ａが設けられた位置に対して、給紙方向（矢印Ａ方向）とは反対方向に所定量ずれた位置に設けられている。この取り付け部１０４ａおよび１０４ｂには、後述するように、エンコーダプレート１１２のフック部１１２ａ（図１０参照）が係合する。
【０００７】
図１４は、図９に示した従来のレーザプリンタの２５０枚用紙収納用のトレイに対応したモータブラケット部分の平面図である。図１５は、図９に示した従来のレーザプリンタの２５０枚用紙収納用のトレイに対応したモータの固定方法を説明するためのギアボックス周辺の側面図である。図１６は、図９に示した従来のレーザプリンタの５００枚用紙収納用のトレイに対応したモータの固定方法を説明するためのギアボックス周辺の側面図である。図１７は、図９に示した従来のレーザプリンタの５００枚用紙収納用のトレイに対応したモータブラケット部分の平面図である。次に、図１４〜図１７を参照して、従来のレーザプリンタのモータの固定方法について説明する。
【０００８】
従来の２５０枚用紙収納用のトレイ１０１ａ（図１５参照）が装着されたレーザプリンタでは、図１４に示すモータブラケット１１０ａにモータ１０９（図１０参照）が取り付けられている。このモータブラケット１１０ａには、中心穴部１１４ａと、２つのモータ取り付け穴部１１５ａと、４つのギアボックス取り付け穴部１１６ａとが設けられている。そして、モータブラケット１１０ａの中心穴部１１４ａには、モータ１０９の回転軸１０９ａがはめ込まれている。この状態で、モータ取り付け穴部１１５ａを介して、モータ１０９がモータブラケット１１０ａにねじ（図示せず）により固定されている。また、図１５に示すように、モータ１０９がねじ止めされたモータブラケット１１０ａは、ギアボックス取り付け穴部１１６ａを介してギアボックス１０５ａにねじ（図示せず）により固定されている。このとき、エンコーダプレート１１２のフック部１１２ａと天板１０４の取り付け部１０４ａとが係合した状態となる。これにより、給紙機構１０３は、天板１０４に固定される。
【０００９】
また、従来の５００枚用紙収納用のトレイ１０１ｂが装着されたレーザプリンタでは、図１６に示すように、トレイ１０１ｂの用紙が収納される部分の深さＸは、図１５に示した２５０枚用紙収納用のトレイ１０１ａの用紙が収納される部分の深さＹよりも大きい。このため、トレイ１０１ｂでは、給紙ローラ１０８の回動半径を大きくするために、トレイ１０１ａ用のアーム１０６ａ（図１５参照）よりも長いアーム１０６ｂを用いている。また、給紙ローラ１０８を適切な位置で用紙に接触させるために、アーム１０６ｂが取り付けられたギアボックス１０５ｂは、アーム１０６ａが取り付けられたギアボックス１０５ａ（図１５参照）の位置に対して、給紙方向（矢印Ａ方向）とは反対方向に所定量ずれた位置に設けられている。
【００１０】
そして、従来の５００枚用紙収納用のトレイ１０１ｂが装着されたレーザプリンタのモータブラケット１１０ｂには、図１７に示すように、中心穴部１１４ｂと、２つのモータ取り付け穴部１１５ｂと、４つのギアボックス取り付け穴部１１６ｂとが設けられている。なお、モータ取り付け穴部１１５ｂは、図１４に示したモータブラケット１１０ａのモータ取り付け穴部１１５ａに対して、略４５度回転した位置に設けられている。
【００１１】
そして、モータブラケット１１０ｂの中心穴部１１４ｂには、モータ１０９（図１０参照）の回転軸１０９ａがはめ込まれている。この状態で、モータ取り付け穴部１１５ｂを介して、モータ１０９がモータブラケット１１０ｂにねじ（図示せず）により固定されている。また、図１６に示すように、モータ１０９がねじ止めされたモータブラケット１１０ｂは、ギアボックス取り付け穴部１１６ｂを介してギアボックス１０５ｂにねじ（図示せず）により固定されている。これにより、ギアボックス１０５ｂに固定されたモータ１０９は、図１５に示したギアボックス１０５ａに固定されたモータ１０９に対して、略４５度回転した状態となる。このとき、エンコーダプレート１１２のフック部１１２ａも略４５度回転するので、フック部１１２ａと天板１０４の上面に対して略４５度傾斜するように設けられた取り付け部１０４ｂとが係合した状態となる。これにより、給紙機構１０３は、天板１０４に固定される。
【００１２】
【発明が解決しようとする課題】
上述したように、従来では、２５０枚用紙収納用のトレイ１０１ａが装着されたレーザプリンタと５００枚用紙収納用のトレイ１０１ｂが装着されたレーザプリンタとで、モータ１０９の給紙方向の位置が異なるので、モータ１０９に取り付けられたエンコーダプレート１１２のフック部１１２ａが係合する天板１０４の取り付け部（１０４ａ、１０４ｂ）も２つ必要となる。この場合、天板１０４の２つの取り付け部１０４ａおよび１０４ｂの形状を同じにすることが考えられる。しかしながら、天板１０４の上面に装着される部品（図示せず）との関係で、取り付け部１０４ａが設けられる位置では、取り付け部１０４ａを凹形状にしてフック部１１２ａを取り付け部１０４ａに係合させた場合に、フック部１０４ａが天板１０４の上面から突出しないようにする必要があった。したがって、取り付け部１０４ａと１０４ｂとは、互いに異なる形状にする必要があった。このため、取り付け部１０４ａの形状に対応したモータ取り付け穴部１１５ａを有するモータブラケット１１０ａと、取り付け部１０４ｂの形状に対応したモータ取り付け穴部１１５ｂを有するモータブラケット１１０ｂとの２種類が必要であった。その結果、モータブラケット（１１０ａ、１１０ｂ）を共通化することが困難であるので、モータブラケット（１１０ａ、１１０ｂ）のコストの低減を図ることが困難であるという問題点があった。
【００１３】
この発明は、上記のような課題を解決するためになされたものであり、
この発明の目的は、異なる用紙収納枚数を有する２種類のトレイ用のモータブラケットを１種類にするとともに、モータブラケットのコストの低減を図ることが可能なレーザプリンタ（画像形成装置）を提供することである。
【００１４】
【課題を解決するための手段】
上記目的を達成するために、請求項１におけるレーザプリンタは、用紙が収納されるトレイと、トレイの上方に設けられ、第１取り付け角度を有する第１取り付け部と第１取り付け角度に対して略４５度傾斜している第２取り付け角度を有する第２取り付け部とを含む天板と、天板に取り付けられたギアボックスと、トレイに収納された用紙を給紙方向に移動させるための給紙ローラと、給紙ローラを回転させるためのモータと、モータをねじ止めするためのモータ取り付け穴部を有するとともに、ねじ止めされたモータをギアボックスに固定するためのモータブラケットと、モータに取り付けられ、第１取り付け部および第２取り付け部に係合するフック部とを備え、トレイは、所定の用紙の収納枚数を有する第１トレイ、および、第１トレイよりも用紙の収納枚数が多い第２トレイのいずれかを含むとともに、ギアボックスは、第１トレイの上方に位置する天板に取り付けられた第１ギアボックス、および、第２トレイの上方に位置する天板に取り付けられた第２ギアボックスのいずれかを含むレーザプリンタにおいて、モータブラケットは、第１トレイ用の第１ギアボックスおよび第２トレイ用の第２ギアボックスに共通して用いられ、モータブラケットのモータ取り付け穴部は、モータブラケットにねじ止めされたモータを第１ギアボックスに固定した際に、フック部が天板の第１取り付け部に第１取り付け角度で係合するように配置された第１モータ取り付け穴部と、モータブラケットにねじ止めされたモータを第２ギアボックスに固定した際に、フック部が天板の第２取り付け部に第２取り付け角度で係合するように、第１モータ取り付け穴部に対して略４５度回転して配置された第２モータ取り付け穴部とを含むことを特徴とする。
【００１５】
請求項１では、上記のように、モータブラケットを、第１ギアボックスにモータを固定した際に、フック部が天板の第１取り付け部に第１の取り付け角度で係合するように配置された第１モータ取り付け穴部と、第２ギアボックスにモータを固定した際に、フック部が天板の第２取り付け部に第２の取り付け角度で係合するように、第１モータ取り付け穴部に対して略４５度回転して配置された第２モータ取り付け穴部とを含むように構成することによって、１種類のモータブラケットで、異なる用紙収納枚数を有する第１トレイおよび第２トレイのそれぞれに対応した角度位置になるように、モータを第１ギアボックスおよび第２ギアボックスに固定することができる。このため、モータのフック部を、第１取り付け角度を有する天板の第１取り付け部と、第１取り付け角度から略４５度傾斜している第２取り付け角度を有する天板の第２取り付け部とに容易に係合させることができる。これにより、第１トレイが装着されるレーザプリンタと第２トレイが装着されるレーザプリンタとで、モータブラケットを１種類に共通化することができるので、モータブラケットの製造プロセスを共通化することができる。その結果、モータブラケットの製造コストの低減を図ることができる。
【００１６】
請求項２における画像形成装置は、所定の用紙の収納枚数を有する第１トレイ、および、第１トレイよりも用紙の収納枚数が多い第２トレイのいずれかと、第１トレイ、および、第２トレイの上方に設けられ、第１取り付け角度を有する第１取り付け部と第２取り付け角度を有する第２取り付け部とを含む第１トレイおよび第２トレイに対して共通して用いられる天板と、天板に取り付けられた第１トレイ用の第１ギアボックス、および、第２トレイ用の第２ギアボックスのいずれかと、第１トレイおよび第２トレイに収納された用紙を給紙方向に移動させるための給紙ローラを回転させるためのモータと、モータをねじ止めするための第１モータ取り付け穴部と第２モータ取り付け穴部とを有するとともに、ねじ止めされたモータを第１ギアボックスおよび第２ギアボックスに固定するための１つのモータブラケットと、モータに取り付けられ、第１取り付け部および第２取り付け部に係合するフック部とを備える。
【００１７】
請求項２では、上記のように、モータブラケットを、第１モータ取り付け穴部と第２モータ取り付け穴部とを含むように構成することによって、１種類のモータブラケットで、異なる用紙収納枚数を有する第１トレイおよび第２トレイのそれぞれに対応した角度位置になるように、モータを第１ギアボックスおよび第２ギアボックスに固定することができる。これにより、第１トレイが装着されるレーザプリンタと第２トレイが装着されるレーザプリンタとで、モータブラケットを１種類に共通化することができるので、モータブラケットの製造プロセスを共通化することができる。その結果、モータブラケットの製造コストの低減を図ることができる。
【００１８】
請求項３における画像形成装置は、請求項２の構成において、モータブラケットの第１モータ取り付け穴部は、モータブラケットにねじ止めされたモータを第１ギアボックスに固定した際に、フック部が天板の第１取り付け部に第１取り付け角度で係合するように配置されており、モータブラケットの第２モータ取り付け穴部は、モータブラケットにねじ止めされたモータを第２ギアボックスに固定した際に、フック部が天板の第２取り付け部に第２取り付け角度で係合するように配置されている。このように構成すれば、容易に、モータのフック部を、天板の第１取り付け部および第２取り付け部に係合させることができる。
【００１９】
請求項４における画像形成装置は、請求項３の構成において、第２取り付け角度は、第１の取り付け角度に対して略４５度傾斜しており、モータブラケットの第２モータ取り付け穴部は、モータブラケットの第１モータ取り付け穴部に対して略４５度回転して配置されている。このように構成すれば、容易に、モータのフック部を第１取り付け角度を有する第１取り付け部と、第１取り付け角度に対して略４５度傾斜している第２取り付け角度を有する第２取り付け部とに係合させることができる。
【００２０】
【発明の実施の形態】
以下、本発明の実施形態を図面に基づいて説明する。
【００２１】
図１は、本発明の一実施形態によるレーザプリンタを示した斜視図であり、図２は、図１に示した一実施形態によるレーザプリンタの給紙機構を示した斜視図である。図３は、図１に示した一実施形態によるレーザプリンタの天板を示した平面図である。図４は、図３に示した一実施形態による天板の５０−５０線に沿った断面図であり、図５は、図３に示した一実施形態による天板の６０−６０線に沿った断面図である。まず、図１〜図５を参照して、本実施形態によるレーザプリンタの構造について説明する。
【００２２】
本実施形態によるレーザプリンタでは、図１に示すように、用紙を収納するためのトレイ１と、用紙を印字部（図示せず）に搬送するための搬送機構２と、トレイ１に収納された用紙が搬送機構２に到達するように給紙方向（矢印Ａ方向）に移動させるための給紙機構３と、種々の部品（図示せず）が装着される天板４とを備えている。トレイ１は、レーザプリンタ本体に引き出し可能に装着されている。また、搬送機構２は、レーザプリンタ本体内の一方側部に設けられている。そして、給紙機構３は、トレイ１の上方に配置されるように、レーザプリンタ本体内に設けられている。
【００２３】
この給紙機構３の構造としては、図２に示すように、ギアボックス５に、アーム６が所定の支点を中心として回動可能に取り付けられている。このアーム６が回動することによって、アーム６の先端部は、トレイ１（図１参照）に収納された用紙に接触する方向に回動される。アーム６の先端部には、シャフト７を介して、２つの給紙ローラ８が回転可能に取り付けられている。この２つの給紙ローラ８は、トレイ１に収納された用紙との間で摩擦力を発生させることによって、用紙を給紙方向（図１中の矢印Ａ方向）に移動させる機能を有する。また、ギアボックス５の一方側部には、２つの給紙ローラ８を回転させるためのモータ９が、モータブラケット１０を介して取り付けられている。また、モータ９には、モータ９の回転角度を検知するエンコーダ１１と、フック部１２ａを有するエンコーダプレート１２とが取り付けられている。そして、ギアボックス５の内部およびアーム６の内部（図示せず）には、モータ９の回転駆動を２つの給紙ローラ８に伝達するための複数のギア１３が設けられている。
【００２４】
そして、天板４は、図１に示したように、トレイ１の上方に設けられているとともに、天板４の下面には、給紙機構３が取り付けられている。この天板４には、図３に示すように、取り付け部４ａと４ｂとが設けられている。取り付け部４ａは、図４に示すように、天板４の上面に対して水平（平行）に設けられている。そして、取り付け部４ｂは、図５に示すように、天板４の上面に対して略４５度傾斜するように設けられている。また、取り付け部４ｂは、図３に示したように、取り付け部４ａが設けられた位置に対して、給紙方向（矢印Ａ方向）とは反対方向に所定量ずれた位置に設けられている。この取り付け部４ａおよび４ｂには、後述するように、エンコーダプレート１２のフック部１２ａ（図２参照）が係合する。なお、取り付け部４ａは、本発明の「第１取り付け部」の一例であり、取り付け部４ｂは、本発明の「第２取り付け部」の一例である。
【００２５】
図６は、図１に示した一実施形態によるレーザプリンタのモータブラケット部分の平面図である。図７は、図１に示した一実施形態によるレーザプリンタの２５０枚用紙収納用のトレイに対応したモータの固定方法を説明するためのギアボックス周辺の側面図である。図８は、図１に示した一実施形態によるレーザプリンタの５００枚用紙収納用のトレイに対応したモータの固定方法を説明するためのギアボックス周辺の側面図である。次に、図６〜図８を参照して、本実施形態によるレーザプリンタのモータの固定方法について説明する。ここで、本実施形態では、２５０枚用紙収納用のトレイ１ａと５００枚用紙収納用のトレイ１ｂとで、共通のモータブラケット１０を用いる。以下、詳細に説明する。
【００２６】
本実施形態による２５０枚用紙収納用のトレイ１ａ（図７参照）が装着されたレーザプリンタでは、図６に示す共通のモータブラケット１０にモータ９（図２参照）が取り付けられている。この共通のモータブラケット１０には、中心穴部１４と、各々２つずつ設けられたモータ取り付け穴部１５ａおよび１５ｂと、４つのギアボックス取り付け穴部１６とが設けられている。モータ取り付け穴部１５ａは、２５０枚用紙収納用のトレイ１ａ用であり、モータ取り付け穴部１５ｂは、５００枚用紙収納用のトレイ１ｂ（図８参照）用である。なお、モータ取り付け穴部１５ｂは、モータ取り付け穴部１５ａに対して、略４５度回転した位置に設けられている。そして、モータブラケット１０の中心穴部１４には、モータ９の回転軸９ａがはめ込まれている。この状態で、２５０枚用紙収納用のトレイ１ａ用のモータ取り付け穴部１５ａを介して、モータ９がモータブラケット１０にねじ（図示せず）により固定されている。なお、トレイ１ａは、本発明の「第１トレイ」の一例であり、トレイ１ｂは、本発明の「第２トレイ」の一例である。また、モータ取り付け穴部１５ａは、本発明の「第１モータ取り付け穴部」の一例であり、モータ取り付け穴部１５ｂは、本発明の「第２モータ取り付け穴部」の一例である。
【００２７】
また、図７に示すように、モータ９がねじ止めされたモータブラケット１０は、ギアボックス取り付け穴部１６を介してギアボックス５ａにねじ（図示せず）により固定されている。このとき、エンコーダプレート１２のフック部１２ａと天板４の取り付け部４ａとが係合した状態となる。これにより、給紙機構３は、天板４に固定される。なお、ギアボックス５ａは、本発明の「第１ギアボックス」の一例である。
【００２８】
また、５００枚用紙収納用のトレイ１ｂ（図８参照）が装着されたレーザプリンタのモータの固定方法としては、図６に示したモータブラケット１０の中心穴部１４にモータ９（図２参照）の回転軸９ａがはめ込まれている。この状態で、５００枚用紙収納用のトレイ１ｂ用のモータ取り付け穴部１５ｂを介して、モータ９がモータブラケット１０にねじ（図示せず）により固定されている。また、図８に示すように、モータ９がねじ止めされたモータブラケット１０は、ギアボックス取り付け穴部１６を介してギアボックス５ｂにねじ（図示せず）により固定されている。これにより、ギアボックス５ｂに固定されたモータ９は、図７に示したギアボックス５ａに固定されたモータ９に対して、略４５度回転した状態となる。このとき、エンコーダプレート１２のフック部１２ａも略４５度回転するので、フック部１２ａと天板４の上面に対して略４５度傾斜するように設けられた取り付け部４ｂとが係合した状態となる。これにより、給紙機構３は、天板４に固定される。なお、ギアボックス５ｂは、本発明の「第２ギアボックス」の一例である。
【００２９】
本実施形態では、上記のように、モータブラケット１０を、２５０枚用紙収納用のトレイ１ａのギアボックス５ａにモータ９を固定した際に、フック部１２ａが天板４の取り付け部４ａに係合するように配置されたモータ取り付け穴部１５ａと、５００枚用紙収納用のトレイ１ｂのギアボックス５ｂにモータ９を固定した際に、フック部１２ａが天板４の取り付け部４ｂに係合するように、モータ取り付け穴部１５ａに対して略４５度回転して配置されたモータ取り付け穴部１５ｂとを含むように構成することによって、１種類のモータブラケット１０で、異なる用紙収納枚数を有するトレイ１ａおよび１ｂのそれぞれに対応した角度位置になるように、モータ９をギアボックス５ａおよび５ｂに固定することができる。このため、モータ９のフック部１２ａを、天板４の取り付け部４ａと、取り付け部４ａに対して略４５度傾斜している天板４の取り付け部４ｂとに容易に係合させることができる。これにより、２５０枚用紙収納用のトレイ１ａが装着されるレーザプリンタと５００枚用紙収納用のトレイ１ｂが装着されるレーザプリンタとで、モータブラケット１０を１種類に共通化することができるので、モータブラケット１０の製造プロセスを共通化することができる。その結果、モータブラケット１０の製造コストの低減を図ることができる。
【００３０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３１】
たとえば、上記実施形態では、モータブラケット１０のモータ取り付け穴部１５ｂを、モータ取り付け穴部１５ａに対して略４５度回転した位置に設けるようにしたが、本発明はこれに限らず、天板の取り付け部の取り付け角度に応じて、モータ取り付け穴部の位置を変更してもよい。
【００３２】
また、上記実施形態では、本発明をレーザプリンタのモータブラケットに適用する例を示したが、本発明はこれに限らず、レーザプリンタ以外の画像形成装置のモータブラケットにも適用可能である。
【００３３】
【発明の効果】
以上のように、本発明によれば、異なる用紙収納枚数を有する２種類のトレイ用のモータブラケットを１種類にするとともに、モータブラケットのコストの低減を図ることが可能なレーザプリンタ（画像形成装置）を提供することができる。
【図面の簡単な説明】
【図１】本発明の一実施形態によるレーザプリンタを示した斜視図である。
【図２】図１に示した一実施形態によるレーザプリンタの給紙機構を示した斜視図である。
【図３】図１に示した一実施形態によるレーザプリンタの天板を示した平面図である。
【図４】図３に示した一実施形態による天板の５０−５０線に沿った断面図である。
【図５】図３に示した一実施形態による天板の６０−６０線に沿った断面図である。
【図６】図１に示した一実施形態によるレーザプリンタのモータブラケット部分の平面図である。
【図７】図１に示した一実施形態によるレーザプリンタの２５０枚用紙収納用のトレイに対応したモータの固定方法を説明するためのギアボックス周辺の側面図である。
【図８】図１に示した一実施形態によるレーザプリンタの５００枚用紙収納用のトレイに対応したモータの固定方法を説明するためのギアボックス周辺の側面図である。
【図９】従来のレーザプリンタを示した斜視図である。
【図１０】図９に示した従来のレーザプリンタの給紙機構を示した斜視図である。
【図１１】図９に示した従来のレーザプリンタの天板を示した平面図である。
【図１２】図１１に示した従来の天板の１５０−１５０線に沿った断面図である。
【図１３】図１１に示した従来の天板の１６０−１６０線に沿った断面図である。
【図１４】図９に示した従来のレーザプリンタの２５０枚用紙収納用のトレイに対応したモータブラケット部分の平面図である。
【図１５】図９に示した従来のレーザプリンタの２５０枚用紙収納用のトレイに対応したモータの固定方法を説明するためのギアボックス周辺の側面図である。
【図１６】図９に示した従来のレーザプリンタの５００枚用紙収納用のトレイに対応したモータの固定方法を説明するためのギアボックス周辺の側面図である。
【図１７】図９に示した従来のレーザプリンタの５００枚用紙収納用のトレイに対応したモータブラケット部分の平面図である。
【符号の説明】
１ａ　トレイ（第１トレイ）
１ｂ　トレイ（第２トレイ）
４　天板
４ａ　取り付け部（第１取り付け部）
４ｂ　取り付け部（第２取り付け部）
５ａ　ギアボックス（第１ギアボックス）
５ｂ　ギアボックス（第２ギアボックス）
９　モータ
１０　モータブラケット
１１　エンコーダ
１２　エンコーダプレート
１２ａ　フック部
１５ａ　モータ取り付け穴部（第１モータ取り付け穴部）
１５ｂ　モータ取り付け穴部（第２モータ取り付け穴部）
【図１】
2004083154.tif 000003
【図２】
2004083154.tif 000004
【図３】
2004083154.tif 000005
【図４】
2004083154.tif 000006
【図５】
2004083154.tif 000007
【図６】
2004083154.tif 000008
【図７】
2004083154.tif 000009
【図８】
2004083154.tif 000010
【図９】
2004083154.tif 000011
【図１０】
2004083154.tif 000012
【図１１】
2004083154.tif 000013
【図１２】
2004083154.tif 000014
【図１３】
2004083154.tif 000015
【図１４】
2004083154.tif 000016
【図１５】
2004083154.tif 000017
【図１６】
2004083154.tif 000018
【図１７】
2004083154.tif 000019